(57)【要約】  【課題】 本発明は、電気機器の置き台などにおいて、電気機器を置き台に挿入する場合の挿入口の挿入角度を容易に変更できるようにするものである。  【解決手段】  置き台１と、前記置き台１に設けられた空間部１４と、前記空間部１４に挿入して固定し電気機器の載置を可能とする挿入口台座５と、前記置き台１に前記置き台本体の表面に対して略同一角度に設けられた複数のネジ穴１３と、前記挿入口台座５を前記置き台に固定するためのネジ７を挿通するための貫通穴１０を有し互いに角度を有して前記挿入口台座５に設けられた複数の取付台座４とで構成される。【選択図】  図１
2005079428.tif 000002
【特許請求の範囲】
【請求項１】
置き台本体と、前記置き台本体に設けられた空間部と、前記空間部に挿入して固定し電気機器の載置を可能とする挿入口台座と、前記置き台本体の表面に対して略同一角度で前記置き台本体に設けられた複数の固定部と、前記挿入口台座を前記置き台本体に固定するために前記置き台本体に設けられた固定部と結合するための固定部を有し互いに角度を有して前記挿入口台座に設けられた複数の取付台座とを備え、同じ角度を有する取付台座の固定部を用いて挿入口台座を固定することで、前記置き台本体に対する電気機器の載置角度を変えることを可能とする置き台。
【請求項２】
置き台本体と、前記置き台本体に設けられた空間部と、前記空間部に挿入して固定し電気機器の載置を可能とする挿入口台座と、前記置き台本体の表面に対して互いに角度を有して前記置き台本体に設けられた複数の固定部と、前記挿入口台座を前記置き台本体に固定するために前記置き台本体に設けられた固定部と結合するための固定部を有し略同一平面上に配置されるように前記挿入口台座に設けられた複数の取付台座とを備え、同じ角度を有する前記置き台本体に設けられた固定部を用いて挿入口台座を固定することで、前記置き台本体の表面に対する電気機器の載置角度を変えることを可能とする置き台。
【請求項３】
置き台本体と、前記置き台本体に設けられた空間部と、前記空間部に挿入して固定し電気機器の載置を可能とする挿入口台座と、前記置き台本体の表面に対して略同一角度で前記置き台本体に設けられた複数のネジ穴と、前記挿入口台座を前記置き台本体に固定するためのネジを挿通するための貫通穴を有し互いに角度を有して前記挿入口台座に設けられた複数の取付台座とを備え、同じ角度を有する取付台座にネジを挿通して挿入口台座を固定することで、前記置き台本体に対する電気機器の載置角度を変えることを可能とする置き台。
【請求項４】
置き台本体と、前記置き台本体に設けられた空間部と、前記空間部に挿入して固定し電気機器の載置を可能とする挿入口台座と、前記置き台本体の表面に対して互いに角度を有して前記置き台本体に設けられた複数のネジ穴と、前記挿入口台座を前記置き台本体に固定するためのネジを挿通するための貫通穴を有し略同一平面上に配置されるように前記挿入口台座に設けられた複数の取付台座とを備え、同じ角度を有するネジ穴を用いて挿入口台座を固定することで、前記置き台本体の表面に対する電気機器の載置角度を変えることを可能とする置き台。
【請求項５】
挿入口台座は回転軸を有し、置き台本体は前記回転軸を支持する回転軸支持部材を有し、固定しない状態で前記挿入口台座を回動可能とした請求項１から４のいずれかに記載の置き台。
【発明の詳細な説明】
【技術分野】
【０００１】
本発明は携帯用の電気機器等を載置するための置き台に関するものである。
【背景技術】
【０００２】
置き台は、携帯用の電気機器に内蔵された電池を充電するために電気機器に内蔵された充電回路を通じて充電したり、電気機器に記憶されたデータを取り出したり、また電気機器にデータを送り込む機能を有している。
【０００３】
そして、このような置き台は電気機器を容易に載置するために電気機器を挿入するための挿入口を持っている。
【０００４】
また、置き台の設置方法については縦置きにする場合と、横置きにする場合とがあり、縦置きにする場合は挿入口の挿入角度は水平方向となり、横置きにする場合は挿入口の角度は垂直方向となる。
【０００５】
また、挿入口を備えた充電器の挿入口の方向を変えるものとしては、充電器とこの充電器の両側方向に取り付けられ充電器を壁などに取り付けるための板状固定具を備え、この充電器には円周状に複数のネジ穴が設けられており、板状固定具には前記ネジ穴に対応する貫通穴と別途壁などに取り付けるための止め具用挿通孔が設けられており、充電器と板状固定具をネジ止めし、さらに止め具用挿通孔により壁に固定し、挿入口の角度を変える場合は両側面のネジを全て外し、充電器自体の角度を変えて充電器の挿入口の角度を変更し再度両側面のネジを全て締めて固定することで充電器の挿入口の角度を変えるものが知られている（例えば特許文献１参照）。
【特許文献１】実公平７−１７１７６号公報（第１−１６図）
【発明の開示】
【発明が解決しようとする課題】
【０００６】
しかしながら、上記従来の構成では、電気機器の挿入口の挿入方向が垂直方向の場合と水平方向になる場合があるが、電気機器を挿入する操作において、水平方向に挿入する場合は電気機器が抜け落ちてしまう危険性があり、また操作上挿入しにくいという課題がある。
【０００７】
また、特許文献１に記載の構成では挿入口を有する充電器と板状固定具があり、充電器の両側面に複数個のネジ穴を設け、さらに板状固定具には多くの貫通穴を設けることで挿入口の挿入角度を調整する機構になっているので、多くのネジを使用するととに構成が複雑となり、また、充電器自体の角度をネジ穴の位置を考慮しながら調整しなければならず、充電器が大型で重量が重い場合は充電器自体を角度調節が困難になる等、容易に挿入口の角度を変更することができないという課題がある。
【０００８】
本発明は、上記従来の課題に鑑み、充電器に設けられた挿入口の挿入角度を容易に調整できる置き台を提供することを目的とする。
【課題を解決するための手段】
【０００９】
上記目的を達成するために、本発明の置き台は、置き台本体と、前記置き台本体に設けられた空間部と、前記空間部に挿入して固定し電気機器の載置を可能とする挿入口台座と、前記置き台本体の表面に対して略同一角度で前記置き台本体に設けられた複数の固定部
と、前記挿入口台座を前記置き台本体に固定するために前記置き台本体に設けられた固定部と結合するための固定部を有し互いに角度を有して前記挿入口台座に設けられた複数の取付台座とを備え、同じ角度を有する取付台座の固定部を用いて挿入口台座を固定することで、前記置き台本体に対する電気機器の載置角度を変えることを可能とするものである。
【００１０】
また、本発明の置き台は、置き台本体と、前記置き台本体に設けられた空間部と、前記空間部に挿入して固定し電気機器の載置を可能とする挿入口台座と、前記置き台本体の表面に対して互いに角度を有して前記置き台本体に設けられた複数の固定部と、前記挿入口台座を前記置き台本体に固定するために前記置き台本体に設けられた固定部と結合するための固定部を有し略同一平面上に配置されるように前記挿入口台座に設けられた複数の取付台座とを備え、同じ角度を有する前記置き台本体に設けられた固定部を用いて挿入口台座を固定することで、前記置き台本体の表面に対する電気機器の載置角度を変えることを可能とするものである。
【００１１】
また、本発明の置き台は、置き台本体と、前記置き台本体に設けられた空間部と、前記空間部に挿入して固定し電気機器の載置を可能とする挿入口台座と、前記置き台本体の表面に対して略同一角度で前記置き台本体に設けられた複数のネジ穴と、前記挿入口台座を前記置き台本体に固定するためのネジを挿通するための貫通穴を有し互いに角度を有して前記挿入口台座に設けられた複数の取付台座とを備え、同じ角度を有する取付台座にネジを挿通して挿入口台座を固定することで、前記置き台本体に対する電気機器の載置角度を変えることを可能とするものである。
【００１２】
また、本発明の置き台は、置き台本体と、前記置き台本体に設けられた空間部と、前記空間部に挿入して固定し電気機器の載置を可能とする挿入口台座と、前記置き台本体の表面に対して互いに角度を有して前記置き台本体に設けられた複数のネジ穴と、前記挿入口台座を前記置き台本体に固定するためのネジを挿通するための貫通穴を有し略同一平面上に配置されるように前記挿入口台座に設けられた複数の取付台座とを備え、同じ角度を有するネジ穴を用いて挿入口台座を固定することで、前記置き台本体の表面に対する電気機器の載置角度を変えることを可能とするものである。
【００１３】
また、本発明の置き台は、挿入口台座は回転軸を有し、置き台本体は前記回転軸を支持する回転軸支持部材を有し、固定しない状態で前記挿入口台座を回動可能としたものである。
【発明の効果】
【００１４】
以上のように本発明によると、置き台に設けられた挿入口の角度を容易に変更することができる。
【発明を実施するための最良の形態】
【００１５】
（実施の形態１）
以下、本発明の実施の形態について、図１から図５を用いて説明する。
【００１６】
図１は置き台１を横置きに設置し電気機器２を挿入するための複数の挿入口３の方向が略垂直である場合を示す図であり、図１（ａ）は置き台１を横置きにした場合の全体図、図１（ｂ）は置き台１を横置きにした場合の図１（ａ）に示すＡ−Ａ’の位置での断面図である。置き台１を横置きにする場合、電気機器２は挿入口３に垂直方向に挿入される。
【００１７】
図２は置き台１を縦置きに設置した場合を示す図であり、図２（ａ）は置き台１を縦置きした場合を示す全体図、図２（ｂ）は置き台１を縦置きにし電気機器２を水平挿入する場合の図２（ａ）で示すＢ−Ｂ’の位置での断面図、図２（ｃ）は置き台１を縦置きにし
電気機器２を斜めに挿入する場合の図２（ａ）のＢ−Ｂ’の位置での断面図である。
【００１８】
次に、図３から図５を用いて挿入口３の方向を変更する方法について説明する。
【００１９】
図３は、図２（ｂ）に示すように、挿入口３を置き台１に略垂直にした場合を説明するするための挿入部分を横から見た模式図である。
【００２０】
電気機器２を挿入して収容するための部分を総称して挿入口台座５と呼び、この挿入口台座５は電気機器２を収容する収容部６と挿入口３側に設けられた取付台座４とからなる。そしてこの取付台座４は、図５に示すように、２つの取付部１１と２つの取付部１２を備えており、これら取付部１１と取付部１２とは異なる角度をもって配置されている。また、取付部１１と取付部１２は各々貫通穴１０を有している。
【００２１】
また、図３において、置き台１には、表面に対して略垂直に設けられた４つのネジ穴１３が設けられている。そして、挿入方向に対して略垂直に設けられている２つの取付具１２にネジ７を挿通させ、このネジ７をネジ穴１３に締め付けることにより挿入口台座５が置き台１に固定され、この場合、挿入口３は置き台１に対して略垂直となる。そして、電気機器２を置き台１に対して略垂直に挿入可能となる。
【００２２】
次に、図２（ｃ）に示すように、置き台１を縦置きにし、挿入口３を斜め上方に変更させる場合について説明する。なお、置き台１を縦置きにした場合、挿入方向が水平では電子機器２が抜け落ちる危険性があるので、それを防ぐために挿入口３を斜め上方にすることが有効である。
【００２３】
図４は、図２（ｃ）に示すように、挿入口３を置き台１に対して斜めにした場合を説明するするための挿入部分を横から見た模式図である。
【００２４】
基本的な構成は前述した図３と同様であり、図３と異なるのは、挿入口台座５を置き台１に固定する場合に、図５に示す、取付具１２とは角度をもって取付台座４に取り付けられた２つの取付具１１を用いて固定する点である。挿入口３とは平行でない取付具１１にネジ７を挿通し、このネジ７を置き台１に設けられたネジ穴１３し締め付けることにより挿入口台座５は置き台１に対して斜めに取り付けられ、挿入口３は図２（ｃ）に示すように斜め上方となる。これにより、置き台１に挿入された電子機器２の抜け落ちの危険性を低減することができる。
【００２５】
以上のように、取付台座４に角度が異なるように取り付けられた取付具１１，１２のどちらかをネジ止めするかを変更することにより、充電器１に設けられた挿入口３の挿入角度を容易に変更することができる。
【００２６】
（実施の形態２）
次に本実施の形態について、図６から図８を用いて説明する。本実施の形態において実施の形態１と同様の箇所については同一の符号を付して詳細な説明を省略する。実施の形態１と異なるのは、図６に示すように取付台座４に置き台１に対して挿入口台座５が回動可能になるように回転軸８を設け、図７および図８に示すように置き台１の表面にこの回転軸８を支持するための回転軸支持部材９を設けた点である。
【００２７】
以下本実施の形態について、その動作を説明する。
【００２８】
実施の形態１と同様に、置き台１に対して挿入口３の角度を変更する場合、置き台１に対して挿入口３を略垂直にする場合には、図７に示すように取付具１２にネジ７を挿通し
てネジ穴１３にネジ７を締め付け、置き台１に対して挿入口３を斜めにする場合には、図８に示すように取付具１１にネジ７を挿通してネジ穴１３にネジ７を締め付ける。この挿入口３の角度を変更する過程において、回転軸８を設けていることにより挿入口台座５を回動させることができるので挿入角度を容易に変更することができ、位置決めも容易である。
【００２９】
また、ネジ７を締め付けて挿入口台座５を置き台１に固定した場合においても、ネジ止め部と回転軸部分とで固定されるので、固定の安定性が増し、固定についての機械的強度を向上させることができる。
【００３０】
（実施の形態３）
次に本発明の実施の形態３について、図９から図１１を用いて説明する。
【００３１】
本実施の形態において実施の形態１と同様の箇所については同一の符号を付して詳細な説明を省略する。実施の形態１と異なるのは、図１１に示すように取付台座４に取り付けられている取付具１１および１２を略同一平面上に配置して挿入口３に略平行にした取付具１７および１８とした点と、図９および図１０に示すようにネジ穴１３を、一方は置き台１に対して略垂直に設けたネジ穴２３とし、他方は置き台１に対して斜めに設けたネジ穴２４として点である。なお、ネジ穴２３およびネジ穴２４は各々２つずつ設けられている。
【００３２】
以下本実施の形態について、その動作を説明する。
【００３３】
実施の形態１と同様に、置き台１に対して挿入口３の角度を変更する場合、置き台１に対して挿入口３を略垂直にする場合には、図９に示すように取付具１８にネジ７を挿通して置き台１に対して略垂直に設けられたネジ穴２３にネジ７を締め付ける。また、置き台１に対して挿入口３を斜めにする場合には、図１０に示すように取付具１７にネジ７を挿通して置き台１に対して斜めに設けられたネジ穴２４にネジ７を締め付ける。
【００３４】
以上のように、置き台１に角度が異なるように取り付けられたネジ穴２３、２４のどちらかをネジ止めするかを変更することにより、充電器１に設けられた挿入口３の挿入角度を容易に変更することができる。
【００３５】
（実施の形態４）
次に本実施の形態について、図１２から図１４を用いて説明する。本実施の形態において実施の形態３と同様の箇所については同一の符号を付して詳細な説明を省略する。実施の形態３と異なるのは、図１２に示すように取付台座４に置き台１に対して挿入口台座５が回動可能になるように回転軸８を設け、図１３および図１４に示すように置き台１の表面にこの回転軸８を支持するための回転軸支持部材９を設けた点である。
【００３６】
以下本実施の形態について、その動作を説明する。
【００３７】
実施の形態３と同様に、置き台１に対して挿入口３の角度を変更する場合、置き台１に対して挿入口３を略垂直にする場合には、図１３に示すように取付具１８にネジ７を挿通してネジ穴２３にネジ７を締め付ける。また、置き台１に対して挿入口３を斜めにする場合には、図１４に示すように取付具１７にネジ７を挿通してネジ穴２４にネジ７を締め付ける。この挿入口３の角度を変更する過程において、回転軸８を設けていることにより挿入口台座５を回動させることができるので挿入角度を容易に変更することができ、位置決めも容易である。
【００３８】
また、ネジ７を締め付けて挿入口台座５を置き台１に固定した場合においても、ネジ止め部と回転軸部分とで固定されるので、固定の安定性が増し、固定についての機械的強度を向上させることができる。
【００３９】
なお、上記全ての実施の形態においては、挿入口台座５の固定にネジとネジ穴を用いた例を示したが、単なる棒体を穴に圧入して固定するなど、固定する手段は着脱可能に固定できるものであれば良い。
【産業上の利用可能性】
【００４０】
本発明の置き台は、挿入口の挿入角度を容易に調整でき、また機器設置の作業工数も削減することができるので、携帯情報端末の置き台などに有用である。
【図面の簡単な説明】
【００４１】
【図１】（ａ）本発明の実施の形態１における置き台を横置きに設置した場合の全体図（ｂ）本発明の実施の形態１における置き台を横置きに設置した場合の断面図
【図２】（ａ）本発明の実施の形態１における置き台を縦置きに設置した場合の全体図（ｂ）本発明の実施の形態１における置き台を縦置きに設置した場合の水平挿入を示す図（ｃ）本発明の実施の形態１における置き台を縦置きに設置した場合の斜め挿入を示す図
【図３】本発明の実施の形態１における挿入口を置き台に略垂直にした場合を説明するするための挿入部分を横から見た模式図
【図４】本発明の実施の形態１における挿入口を置き台に斜めにした場合を説明するするための挿入部分を横から見た模式図
【図５】（ａ）本発明の実施の形態１における挿入口台座の正面図（ｂ）本発明の実施の形態１における挿入口台座の側面図（ｃ）本発明の実施の形態１における挿入口台座の上面図
【図６】（ａ）本発明の実施の形態２における挿入口台座の正面図（ｂ）本発明の実施の形態２における挿入口台座の側面図（ｃ）本発明の実施の形態２における挿入口台座の上面図
【図７】本発明の実施の形態２における挿入口を置き台に略垂直にした場合を説明するするための挿入部分を横から見た模式図
【図８】本発明の実施の形態２における挿入口を置き台に斜めにした場合を説明するするための挿入部分を横から見た模式図
【図９】本発明の実施の形態３における挿入口を置き台に略垂直にした場合を説明するするための挿入部分を横から見た模式図
【図１０】本発明の実施の形態３における挿入口を置き台に斜めにした場合を説明するするための挿入部分を横から見た模式図
【図１１】（ａ）本発明の実施の形態３における挿入口台座の正面図（ｂ）本発明の実施の形態３における挿入口台座の側面図（ｃ）本発明の実施の形態３における挿入口台座の上面図
【図１２】（ａ）本発明の実施の形態４における挿入口台座の正面図（ｂ）本発明の実施の形態４における挿入口台座の側面図（ｃ）本発明の実施の形態４における挿入口台座の上面図
【図１３】本発明の実施の形態４における挿入口を置き台に略垂直にした場合を説明するするための挿入部分を横から見た模式図
【図１４】本発明の実施の形態４における挿入口を置き台に斜めにした場合を説明するするための挿入部分を横から見た模式図
【符号の説明】
【００４２】
１  置き台
２  電気機器
３  挿入口
４  取付台座
５  挿入口台座
６  挿入部
７  ネジ
８  回転軸
９  回転軸支持部材
１０  貫通孔
１１  取付具
１２  取付具
１３  ネジ穴
１４  空間部
１７  取付具
１８  取付具
２３  ネジ穴
２４  ネジ穴
【図１】
2005079428.tif 000003
【図２】
2005079428.tif 000004
【図３】
2005079428.tif 000005
【図４】
2005079428.tif 000006
【図５】
2005079428.tif 000007
【図６】
2005079428.tif 000008
【図７】
2005079428.tif 000009
【図８】
2005079428.tif 000010
【図９】
2005079428.tif 000011
【図１０】
2005079428.tif 000012
【図１１】
2005079428.tif 000013
【図１２】
2005079428.tif 000014
【図１３】
2005079428.tif 000015
【図１４】
2005079428.tif 000016